(57)【要約】ビデオ写真機材用の三脚支持体（１）は、チューブ（２ｂ）を有するクロスピース（２）と、このクロスピースのチューブ中で摺動するシャフト（８）を有し、このシャフト（８）の一端部に適合されるように配置されるプレート（７）と、シャフトの軸方向の他端部に適合されるように配置される端末プラグ（９）とを備えた支柱（３）と、プレートとプラグとをシャフトから外すように、また、シャフトをチューブから外すように、プレートとシャフトとの間に設けられた取り外し可能な固定手段（６，１８）と、シャフトとプラグとの間に設けられた取り外し可能な固定手段（１９，２３）とを有している。プレートに対する固定手段とプラグに対する固定手段とは、シャフトから外されたときに、シャフトに接続される代わりに、クロスピースのチューブの両端部にプレートとプラグとを夫々直接固定するように、互いに接続可能である。
2009534613.tif 000002
【特許請求の範囲】
【請求項１】
チューブ（２ｂ）を有するクロスピース（２）と、このクロスピースの前記チューブ中で摺動するシャフト（８）を備え、このシャフトの一端部に適合されるように配置されるプレート（７）と、シャフトの軸方向の他端部に適合されるように配置される端末プラグ（９）とを有する支柱（３）と、前記シャフトから前記プレートとプラグとを外すように、また、前記チューブからシャフトを外すように、プレートとシャフトとの間に設けられた取り外し可能な固定手段（６，１８，）と、シャフトとプラグとの間に設けられた取り外し可能な固定手段（１９，２３）とを具備するビデオ写真機材用の三脚支持体（１）において、前記プレートとプラグとに対する前記固定手段は、前記シャフトから外されたときに、前記シャフトに接続される代わりに、クロスピースの前記チューブの両端部に夫々前記プレートと前記プラグとを直接固定するように、互いに接続可能である三脚支持体。
【請求項２】
前記シャフトとプラグとの間に設けられた前記固定手段は、前記シャフトの対応した部材（１９）と接続する第１のねじ接続部材(２４)と、前記プレートの対応した部材（６）と接続する第２のねじ接続部材（２５）とを有する部分（２３）を備えている請求項１の三脚支持体。
【請求項３】
前記第２のねじ接続部材は、プラグ当接ショルダー部（２２ｂ）とは反対の端部で前記部分に形成されたねじ座部（２５）である請求項２の三脚支持体。
【請求項４】
前記部分（２３）は、カウンタウエイト（２６）等のためのフック手段用の固定座部を構成している請求項２又は３の三脚支持体。
【請求項５】
前記プレートとシャフトとの間に設けられた前記固定手段は、シャフトの対応した部材又はプラグの前記第２のねじ接続部材に選択的に係合することのできる第３の接続部材を有している請求項２ないし４のいずれか１の三脚支持体。
【請求項６】
前記第３の接続部材は、前記プレートに軸方向で保持されたねじである請求項５の三脚支持体。
【請求項７】
前記ねじ（６）は、互いに異なる直径のプレートねじ端部の接続面に与えられるように、取り外されて逆さまにされることができる形態で前記プレートに保持されている請求項６の三脚支持体。
【請求項８】
前記シャフトに対する両接続部材は、前記第１の接続部材並びに前記第３の接続部材の一方と他方とが夫々収容される夫々のねじ穴中に軸方向で係合したブッシュインサートである請求項５ないし７のいずれか１の三脚支持体。
【請求項９】
芯合わせ手段とカウンタ手段とが、前記プレートを前記チューブに対して固定するようにロックするように、プレート並びにチューブに規定されている前記全ての請求項のいずれか１の三脚支持体。
【発明の詳細な説明】
【技術分野】
【０００１】
本発明は、主請求項の前段に記載されている特徴を有するタイプのビデオ写真機材等のための支持体に関する。
【背景技術】
【０００２】
写真、テレビ、並びに映写の分野で、撮影装置を調節可能に支持するための三脚、スタンド等の上述された特徴を有する支持体の使用が、広く知られている。
【０００３】
この技術分野で、前記支持体は、３つ以上の伸縮自在な脚部が知られた方法で接続されているクロスピースと、このクロスピース中のチューブ内で軸方向に摺動することのできる支柱とを有している。この支柱の上部には、プレートが、支持される装置を取着するように装着されている。前記脚部をクロスピースに接続しているメカニズムにより、これら脚部は、様々な開成角度でロックされることができ、一方、支柱をクロスピースのチューブ中で軸方向に摺動させることにより、機材の高さは、簡単に調節されることができる。
【０００４】
このような高さ調節により与えられる使用の良好な利便性に反して、上述された技術的な解決策から生じる主な欠点は、クロスピースの下に突出した支柱の部分と、支持体の支持面との間の干渉であり、この干渉により、例えば地面に近い高さで撮影するためにビデオ写真機材を非常に低いポイントに位置付けることが妨げられる。
【０００５】
このような問題に対処するために提案された様々なメカニズムが、知られている。これらメカニズムの２つが、ＥＰ０７５１３３８並びにＷＯ２００５１１４０３７に夫々記載されている。これら文献の両方で、摺動する支柱が、プレートに接続された上側部分と、低い所で撮影を行う場合に外され得る下側部分とを有している。
【０００６】
しかし、これら２つの解決策に規定されている支持体の構造に関して、支持体自体の高さを最小に減じる機能は、支柱の一部分が比較的短い部分により取って変えられるが、支柱が完全に外されないという事実によって、限定されている。従って、これら支持体も、また、極端に低い設定には適していない。
【発明の開示】
【０００７】
本発明の中心にある課題は、前記知られた技術に関連して上述された限定を克服するように構造並びに動作が設計され、かつ分解されることができる支柱を有する、ビデオ写真機材用の支持体を提供することである。
【０００８】
この課題と、以下でより明瞭となる他の課題とが、特許請求の範囲に従った支持体により本発明で対処され解決される。
【０００９】
本発明の他の特長並びに利点は、非限定的な例として添付図面に示される好ましいが非限定的な実施形態の以下の詳細な説明から明らかになる。
【発明を実施するための最良の形態】
【００１０】
図において、１は、軸線方向に摺動する支柱３が中に挿入されているチューブ２ｂを有したクロスピース２と、調節可能なロックの機能とを備えた三脚タイプの支持体を示している。前記支柱３をロックするリングナット４が、チューブ２ｂの上部にねじ留め装着され、このリングナットを知られた方法で締め付けることにより支柱３をクロスピース２に対してロックする。
【００１１】
知られた方法で長さを伸縮自在に調節可能な３つ以上の脚部５が、前記クロスピース２に収束し、枢支されている。
【００１２】
前記支柱３は、軸線Ｘに沿って長手方向に延び、機材のための取着用のプレート７と、管状のシャフト８と、末端プラグ９とを有している。
【００１３】
前記プレート７は、ほぼ円筒形状で前記軸線Ｘと同軸の取着用のねじ６を有している。このねじは、中央の位置にある円筒形のフランジ１０と、同じ直径を有し、かつ長手方向で互いに対向した２つのねじ部分１１，１２とを有している。これらねじ部分１１，１２よりも直径が大きい前記円筒形のフランジ１０は、長手方向で互いに対向した２つの環状ショルダー部１０ｂ，１０ｃを規定している。長手方向でフランジ１０とは反対のねじ部分１２の端部には、円筒形の第３のねじ部分１３がある。この第３のねじ部分は、ねじ部分１１の長手方向の広がりが、ねじ部分１２とねじ部分１３とからなるアッセンブリの長手方向の広がりと同じであるように、長手方向の広がりのねじ部分１１，１２よりも直径が小さい。
【００１４】
前記取着用のプレート７は、ビデオ写真機材を支持する円形の面１４と、前記軸線Ｘと同軸の円筒形の中央キャビティ１５とを有している。このキャビティは、長手方向の両端部が開いており、前記面１４の反対側の部分から突出したハブ１６へと延びている。このハブ１６の内側には、ショルダー部１７が規定され、前記プレートがシャフト８に締め付けられると、このショルダー部に、ねじの前記ショルダー部１０ｂが当接する。
【００１５】
この状態において、前記ねじ部分１１は、図１，２，並びに３に示されているように、取着用の前記面１４を超えて突出している。代わって、前記ねじ６を１８０°回動させることにより、前記ショルダー部１０ｃが、前記ハブ１６のショルダー部１７に当接し、ねじ面１３は、取着用の面１４を超えて突出し、従って、選択された機材用の装着デバイスを形成する。
【００１６】
前記ねじ６をプレート７のキャビティ１５中に収容する２つの異なる機能により、様々なタイプの取着用のねじ穴を有する機材が、前記支持体１に取着されることができる。
【００１７】
前記シャフト８は、このシャフトの軸方向の両端部に、ブッシュインサート(bush insert)１８，１９を夫々有している。これらブッシュインサートは、前記取着用のねじ６と前記末端プラグ９とに夫々接続されることができるねじ穴２０，２１を夫々有している。
【００１８】
前記プラグ９は、ショルダー部２２ｂを規定しているフランジ２２を有している。このフランジからは、前記軸線Ｘと同軸で内部が中空の円筒形の部分２３が、垂直方向上方に延びている(rises)。この部分２３は、フランジ２２近くの長手方向の端部に位置され、かつ前記ねじ穴２１と接続可能な雄ねじ面２４と、円筒形のねじ座部２５とを有している。
【００１９】
この円筒形のねじ座部２５は、前記フランジ２２とは反対の長手方向の端部に配置され、前記シャフト８が、以下で明瞭になるように支柱から外されるときに、前記取着用のねじ６の部分１１又は部分１２に接続されることができる。前記末端プラグ９は、カウンタウエイト２６用のフックを有し、このフックは、座部２７中で摺動し、前記軸線Ｘと同軸で、ばね２８に抵抗している。
【００２０】
図２を参照すると、前記シャフト８は、前記インサート１８を有する端部が、前記脚部５に向き合った端部、即ち取着用のプレート７が置かれている端部にあるように、前記クロスピース２のチューブ２ｂに摺動するように接続され、前記ねじ部分１１とねじ穴２０との間の接続、又はねじ部分１２とねじ穴２０との間のねじ接続により、軸方向の移動と回転とがロックされる。前記末端プラグ９は、ねじ面２４とねじ穴２１との間の接続により、シャフト８の長手方向の他端部に固定されている。
【００２１】
前記ショルダー部２２ｂの径方向のディメンションは、プラグ９がシャフト８に接続されているときにクロスピース２と干渉して、支柱がクロスピース２に対して最大仰角に上げられたときに、支柱３が滑り落ちるのを不可能にするようになっている。
【００２２】
上述された接続の代わりに、図３を参照すると、プレート７とプラグ９とが、クロスピース２のチューブ２ｂの両端部に夫々直接固定されている。この位置でプレートをチューブ２ｂに芯合わせして保持させるために、芯合わせ手段とカウンタ手段(counter means)とが、前記面１４とは反対のプレートの表面にリリーフのカラー２９(collar 29 in relief)を有するように設けられ、実質的な形状の適合をもたらすように前記リングナット４の開口部中に挿入されることができる。
【００２３】
前記プラグ９のショルダー部２２ｂは、前記チューブ２ｂに、プレート７とは反対の端部の所で置かれている。前記キャビティ１５中に挿入されたプラグ９と取着用のねじ６とは、部分１２とねじ面２５との間の接続により、しっかりと取着されている。代わって、ねじ６を１８０°回動させることにより、プラグ９と取着用のねじ６とは、部分１１とねじ面２５との間の接続により、しっかりと取着されることができる。摺動する支柱を有する構造と比べて、上述されたアッセンブリでは、シャフト８がないことにより、地面からの三脚の設定位置の高さを最小に減じることができる。
【００２４】
更に、操作者は、支柱の延長を微調整する必要がないと考えたときに、シャフト８を外すことにより、三脚の全重量を減じることができる。
【００２５】
本発明は、分解されることができる支柱を有し、この支柱の中で摺動するシャフトが外されることができ、プレートが末端プラグへの取り外し可能な接続によりクロスピースに直接取着されることができる、支持体を提供している。
【００２６】
かくして、本発明は、知られた技術に関連して上述された問題を解決し、ビデオ写真機材用の支持体の設定の高さを最低限に抑え、かくして、このような機材の撮影角度を減じる機能を提供している。
【図面の簡単な説明】
【００２７】
【図１】本発明に係わる、機材を支持体に取着するための支柱とデバイスとの分解側面図である。
【図２】クロスピース中で摺動する支柱がある構造の支持体の長手方向の断面図である。
【図３】クロスピース中で摺動する支柱がない構造の支持体の長手方向の断面図である。
【図１】
2009534613.tif 000003
【図２】
2009534613.tif 000004
【図３】
2009534613.tif 000005
【国際調査報告】
2009534613.tif 000006
2009534613.tif 000007